(57)【要約】【課題】家庭用薄葉紙の詰め替え作業を容易に行うとともに、当該家庭用薄葉紙の湿潤液の含浸量の調整を容易に行い、且つ、コストアップを抑制する。【解決手段】家庭用薄葉紙収納容器１００であって、開口部を有し、内側に湿潤タイプの家庭用薄葉紙Ｐを収納する容器本体１と、開口部を閉塞するように容器本体に取り付けられ、当該容器本体に収納された家庭用薄葉紙を取り出すための取出部２Ａを具備する蓋体２とを備え、蓋体２は、上蓋開口部２２６を具備する上蓋部材２２及び下蓋開口部２１６を具備する下蓋部材２１を備え、上蓋部材及び下蓋部材は、略同心上に重なるように配置され、相対的に回動して上蓋開口部と下蓋開口部とが重なり合う面積を可変させることによって、上蓋開口部２２６と下蓋開口部２１６とが重ね合わされてなる取出部の開口面積を可変させる。【選択図】図１
2010083515.tif 000002
【特許請求の範囲】
【請求項１】
開口部を有し、内側に家庭用薄葉紙を収納する容器本体と、
前記開口部を閉塞するように前記容器本体に取り付けられ、当該容器本体に収納された家庭用薄葉紙を取り出すための取出部を具備する蓋体と、を備え、
前記蓋体は、相対的に動作して前記取出部の開口面積を可変させる第１部材及び第２部材を備えることを特徴とする家庭用薄葉紙収納容器。
【請求項２】
前記第１部材は、前記取出部を構成する第１構成用開口部を備え、
前記第２部材は、前記取出部を構成する第２構成用開口部を備え、
前記第１部材及び前記第２部材は、略同心上に重なるように配置され、相対的に回動して前記第１構成用開口部と前記第２構成用開口部とが重なり合う面積を可変させることによって、前記第１構成用開口部と前記第２構成用開口部とが重ね合わされてなる前記取出部の開口面積を可変させることを特徴とする請求項１に記載の家庭用薄葉紙収納容器。
【請求項３】
前記第１構成用開口部及び前記第２構成用開口部は、略同形状をなし、互いに重なり合い、且つ、前記第１部材及び前記第２部材の回動中心と重なるように形成されていることを特徴とする請求項２に記載の家庭用薄葉紙収納容器。
【請求項４】
前記第２部材は、前記第１部材及び前記第２部材の回動中心と略同心の円周に沿って形成された螺合部を具備する外周面部を備え、
前記第１部材は、前記回動中心と略同心の円周に沿って形成され、前記螺合部が螺合する被螺合部を具備する内周面部を備えることを特徴とする請求項２又は３に記載の家庭用薄葉紙収納容器。
【請求項５】
前記第１部材は、前記第１部材及び前記第２部材の回動中心と略同心の円周に沿って形成された係合部を備え、
前記第２部材は、前記回動中心と略同心の円周に沿って形成され、前記係合部が係合する被係合部を備えることを特徴とする請求項２又は３に記載の家庭用薄葉紙収納容器。
【請求項６】
前記蓋体は、前記第１部材及び前記第２部材の相対的な回動を所定位置にて規制する回動規制手段を備え、
前記回動規制手段は、
前記第１部材に設けられ、前記回動中心と略同心の円周上に形成された凸部と、
前記第２部材に設けられ、前記回動中心と略同心の円周上に形成されて前記凸部と係合する凹部と、を備えることを特徴とする請求項４又は５に記載の家庭用薄葉紙収納容器。
【請求項７】
前記蓋体は、前記第１部材及び前記第２部材の相対的な回動を所定位置にて規制する回動規制手段を備え、
前記回動規制手段は、
前記第１部材及び前記第２部材のうち、少なくとも何れか一方に設けられ、前記回動中心と略同心の円周上に形成された弾性部を備え、
前記第１部材及び前記第２部材の相対的な回動に伴って前記弾性部を当該弾性部と対向する部分に摺接させて当該回動を規制することを特徴とする請求項４又は５に記載の家庭用薄葉紙収納容器。
【請求項８】
前記第１部材は、前記取出部を構成する構成用開口部を備え、
前記第２部材は、前記第１部材に対してスライド移動して前記構成用開口部と当該第２部材とが重なり合う面積を可変させることによって、前記取出部の開口面積を可変させることを特徴とする請求項１に記載の家庭用薄葉紙収納容器。
【請求項９】
前記第１部材は、前記取出部を構成する第１構成用開口部を備え、
前記第２部材は、前記取出部を構成する第２構成用開口部を備え、前記第１部材に対してスライド移動して前記第１構成用開口部と前記第２構成用開口部とが重なり合う面積を可変させることによって、前記取出部の開口面積を可変させることを特徴とする請求項１に記載の家庭用薄葉紙収納容器。
【請求項１０】
前記第１部材は、前記取出部を構成する第１構成用開口部を備え、
前記第２部材は、前記取出部を構成する第２構成用開口部を備え、前記第１部材に対して近付くように回動して前記第１構成用開口部と前記第２構成用開口部とを重ね合わせることによって、前記取出部の開口面積を可変させることを特徴とする請求項１に記載の家庭用薄葉紙収納容器。
【請求項１１】
前記第１部材及び前記第２部材の開口面積が最小とされた前記取出部の縁部を構成する部分は、弾性体で形成されていることを特徴とする請求項１〜１０の何れか一項に記載の家庭用薄葉紙収納容器。
【請求項１２】
前記第１部材及び前記第２部材のうち、少なくとも何れか一方には、前記取出部の開口面積の調整に係る調整指示表示部が設けられていることを特徴とする請求項１〜１１の何れか一項に記載の家庭用薄葉紙収納容器。
【発明の詳細な説明】
【技術分野】
【０００１】
本発明は、ウェットティシュー、ウェットシートやドライシート等の家庭用薄葉紙を収納する家庭用薄用紙収納容器に関する。
【背景技術】
【０００２】
従来、家屋の床やトイレ、或いは人体などを拭くための家庭用薄葉紙を収納する家庭用薄葉紙収納容器が知られている。
家庭用薄葉紙収納容器として、家庭用薄葉紙を収納する上端開口の容器本体と、容器本体に収納された家庭用薄葉紙の取出部を有し、容器本体の上端開口を開閉自在とするように取り付けられた蓋体とを備えたものがある（例えば、特許文献１、２参照）。
【特許文献１】特開２０００−５１１１７号公報
【特許文献２】実公平７−１２３１０号公報
【発明の開示】
【発明が解決しようとする課題】
【０００３】
しかしながら、上記特許文献１、２等の場合、家庭用薄葉紙の詰め替えの際には、容器本体の上端開口を開放して家庭用薄葉紙を収納した後、蓋体の取出部にその下側から家庭用薄葉紙を通過させる必要があり、その作業が煩わしいといった問題がある。
特に、ウェットティシュー等の湿潤タイプの家庭用薄葉紙を収納する家庭用薄葉紙収納容器の場合、湿潤液の蒸発を抑制する上で取出部が小さくなっており、当該取出部に家庭用薄葉紙を通過させ難くなっている。また、取出部を通過させる際に家庭用薄葉紙の湿潤液の含浸量を調整する構成のものにおいても、同様に、取出部が比較的小さく形成されており、家庭用薄葉紙の詰め替えの際に当該取出部に家庭用薄葉紙を通過させ難くなっている。
【０００４】
さらに、家庭用薄葉紙の種類、厚さや幅等によっては、取出部のサイズを変更しなければならない場合もあり、家庭用薄葉紙毎に蓋体を製造することによりコストアップを招いてしまうといった問題もある。また、取出部を通過させる際に家庭用薄葉紙の湿潤液の含浸量を調整する構成のものにおいても、専用の蓋体を用意する必要があり、コストアップを招くこととなる。
【０００５】
そこで、本発明の課題は、家庭用薄葉紙の詰め替え作業を容易に行うことができるとともに、コストアップを抑制することができる家庭用薄葉紙収納容器を提供することである。
【課題を解決するための手段】
【０００６】
上記課題を解決するため、請求項１に記載の発明の家庭用薄葉紙収納容器は、
開口部を有し、内側に家庭用薄葉紙を収納する容器本体と、
前記開口部を閉塞するように前記容器本体に取り付けられ、当該容器本体に収納された家庭用薄葉紙を取り出すための取出部を具備する蓋体と、を備え、
前記蓋体は、相対的に動作して前記取出部の開口面積を可変させる第１部材及び第２部材を備えることを特徴としている。
【０００７】
請求項２に記載の発明は、請求項１に記載の家庭用薄葉紙収納容器において、
前記第１部材は、前記取出部を構成する第１構成用開口部を備え、
前記第２部材は、前記取出部を構成する第２構成用開口部を備え、
前記第１部材及び前記第２部材は、略同心上に重なるように配置され、相対的に回動して前記第１構成用開口部と前記第２構成用開口部とが重なり合う面積を可変させることによって、前記第１構成用開口部と前記第２構成用開口部とが重ね合わされてなる前記取出部の開口面積を可変させることを特徴としている。
【０００８】
請求項３に記載の発明は、請求項２に記載の家庭用薄葉紙収納容器において、
前記第１構成用開口部及び前記第２構成用開口部は、略同形状をなし、互いに重なり合い、且つ、前記第１部材及び前記第２部材の回動中心と重なるように形成されていることを特徴としている。
【０００９】
請求項４に記載の発明は、請求項２又は３に記載の家庭用薄葉紙収納容器において、
前記第２部材は、前記第１部材及び前記第２部材の回動中心と略同心の円周に沿って形成された螺合部を具備する外周面部を備え、
前記第１部材は、前記回動中心と略同心の円周に沿って形成され、前記螺合部が螺合する被螺合部を具備する内周面部を備えることを特徴としている。
【００１０】
請求項５に記載の発明は、請求項２又は３に記載の家庭用薄葉紙収納容器において、
前記第１部材は、前記第１部材及び前記第２部材の回動中心と略同心の円周に沿って形成された係合部を備え、
前記第２部材は、前記回動中心と略同心の円周に沿って形成され、前記係合部が係合する被係合部を備えることを特徴としている。
【００１１】
請求項６に記載の発明は、請求項４又は５に記載の家庭用薄葉紙収納容器において、
前記蓋体は、前記第１部材及び前記第２部材の相対的な回動を所定位置にて規制する回動規制手段を備え、
前記回動規制手段は、
前記第１部材に設けられ、前記回動中心と略同心の円周上に形成された凸部と、
前記第２部材に設けられ、前記回動中心と略同心の円周上に形成されて前記凸部と係合する凹部と、を備えることを特徴としている。
【００１２】
請求項７に記載の発明は、請求項４又は５に記載の家庭用薄葉紙収納容器において、
前記蓋体は、前記第１部材及び前記第２部材の回動を所定位置にて規制する回動規制手段を備え、
前記回動規制手段は、
前記第１部材及び前記第２部材のうち、少なくとも何れか一方に設けられ、前記回動中心と略同心の円周上に形成された弾性部を備え、前記第１部材及び前記第２部材の相対的な回動に伴って前記弾性部を当該弾性部と対向する部分に摺接させて当該回動を規制する
ことを特徴としている。
【００１３】
請求項８に記載の発明は、請求項１に記載の家庭用薄葉紙収納容器において、
前記第１部材は、前記取出部を構成する構成用開口部を備え、
前記第２部材は、前記第１部材に対してスライド移動して前記構成用開口部と当該第２部材とが重なり合う面積を可変させることによって、前記取出部の開口面積を可変させることを特徴としている。
【００１４】
請求項９に記載の発明は、請求項１に記載の家庭用薄葉紙収納容器において、
前記第１部材は、前記取出部を構成する第１構成用開口部を備え、
前記第２部材は、前記取出部を構成する第２構成用開口部を備え、前記第１部材に対してスライド移動して前記第１構成用開口部と前記第２構成用開口部とが重なり合う面積を可変させることによって、前記取出部の開口面積を可変させることを特徴としている。
【００１５】
請求項１０に記載の発明は、請求項１に記載の家庭用薄葉紙収納容器において、
前記第１部材は、前記取出部を構成する第１構成用開口部を備え、
前記第２部材は、前記取出部を構成する第２構成用開口部を備え、前記第１部材に対して近付くように回動して前記第１構成用開口部と前記第２構成用開口部とを重ね合わせることによって、前記取出部の開口面積を可変させることを特徴としている。
【００１６】
請求項１１に記載の発明は、請求項１〜１０の何れか一項に記載の家庭用薄葉紙収納容器において、
前記第１部材及び前記第２部材の開口面積が最小とされた前記取出部の縁部を構成する部分は、弾性体で形成されていることを特徴としている。
【００１７】
請求項１２に記載の発明は、請求項１〜１１の何れか一項に記載の家庭用薄葉紙収納容器において、
前記第１部材及び前記第２部材のうち、少なくとも何れか一方には、前記取出部の開口面積の調整に係る調整指示表示部が設けられていることを特徴としている。
【発明の効果】
【００１８】
請求項１に記載の発明によれば、蓋体は、相対的に動作して、家庭用薄葉紙を取り出すための取出部の開口面積を可変させる第１部材及び第２部材を備えているので、取出部の開口面積を家庭用薄葉紙の詰め替え作業の際に大きくして、家庭用薄葉紙の使用の際には小さくするといった取出部の開口面積の調整を、第１部材及び第２部材を相対的に動作させるだけで容易に行うことができる。従って、家庭用薄葉紙の詰め替え作業を容易に行うことができる。
また、家庭用薄葉紙の種類、厚さや幅等が異なるものであっても、家庭用薄葉紙毎に蓋体を製造する必要がなくなって、コストアップを抑制することができる。
【００１９】
請求項２に記載の発明によれば、請求項１に記載の発明と同様の効果が得られるのは無論のこと、特に、第１部材及び第２部材は、略同心上に重なるように配置され、相対的に回動して第１構成用開口部と第２構成用開口部とが重なり合う面積を可変させることによって、第１構成用開口部と第２構成用開口部とが重ね合わされてなる取出部の開口面積を可変させるので、第１部材及び第２部材を相対的に回動させるだけで取出部の開口面積の調整を容易に行うことができる。
【００２０】
請求項３に記載の発明によれば、第１構成用開口部及び第２構成用開口部は、略同形状をなし、互いに重なり合い、且つ、第１部材及び第２部材の回動中心と重なるように形成されているので、請求項２に記載の発明と同様の効果を得ることができる。
【００２１】
請求項４に記載の発明によれば、請求項２又は３に記載の発明と同様の効果が得られるのは無論のこと、特に、第２部材は、第１部材及び第２部材の回動中心と略同心の円周に沿って形成された螺合部を具備する外周面部を備え、第１部材は、回動中心と略同心の円周に沿って形成され、螺合部が螺合する被螺合部を具備する内周面部を備えているので、第１部材の被螺合部に第２部材の螺合部を螺合させるといったより単純な構成で第１部材と第２部材の相対的な回動動作を実現することができる。また、第１部材の被螺合部に対する第２部材の螺合部の螺子込み量を調整するだけで、取出部の開口面積の調整を行うことができ、これにより、家庭用薄葉紙収納容器のコストアップを抑制することができる。
【００２２】
請求項５に記載の発明によれば、請求項２又は３に記載の発明と同様の効果が得られるのは無論のこと、特に、第１部材は、第１部材及び第２部材の回動中心と略同心の円周に沿って形成された係合部を備え、第２部材は、回動中心と略同心の円周に沿って形成され、係合部が係合する被係合部を備えているので、第１部材の係合部を第２部材の被係合部に係合させるといったより単純な構成で第１部材と第２部材の相対的な回動動作を実現することができる。これにより、家庭用薄葉紙収納容器のコストアップを抑制することができる。
【００２３】
請求項６に記載の発明によれば、請求項４又は５に記載の発明と同様の効果が得られるのは無論のこと、特に、第１部材に設けられ、回動中心と略同心の円周上に形成された凸部と、第２部材に設けられ、回動中心と略同心の円周上に形成されて凸部と係合する凹部と、を備える回動規制手段を備えているので、当該回動規制手段によって、第１部材及び第２部材の相対的な回動を所定位置にて容易に規制することができ、所望の大きさに調整された取出部の開口面積の維持を容易に行うことができる。
【００２４】
請求項７に記載の発明によれば、請求項４又は５に記載の発明と同様の効果が得られるのは無論のこと、特に、第１部材及び第２部材のうち、少なくとも何れか一方に設けられ、回動中心と略同心の円周上に形成された弾性部を備え、第１部材及び第２部材の相対的な回動に伴って弾性部を当該弾性部と対向する部分に摺接させて当該回動を規制する回動規制手段を備えているので、当該回動規制手段によって、第１部材及び第２部材の相対的な回動を所定位置にて容易に規制することができ、所望の大きさに調整された取出部の開口面積の維持を容易に行うことができる。
【００２５】
請求項８に記載の発明によれば、請求項１に記載の発明と同様の効果が得られるのは無論のこと、特に、第２部材は、構成用開口部を具備する第１部材に対してスライド移動して構成用開口部と当該第２部材とが重なり合う面積を可変させることによって、取出部の開口面積を可変させるので、第２部材を第１部材に対してスライド移動させるだけで取出部の開口面積の調整を容易に行うことができる。
【００２６】
請求項９に記載の発明によれば、請求項１に記載の発明と同様の効果が得られるのは無論のこと、特に、第２部材は、第２構成用開口部を備え、第１構成用開口部を具備する第１部材に対してスライド移動して第１構成用開口部と第２構成用開口部とが重なり合う面積を可変させることによって、取出部の開口面積を可変させるので、第２部材を第１部材に対してスライド移動させるだけで取出部の開口面積の調整を容易に行うことができる。
【００２７】
請求項１０に記載の発明によれば、請求項１に記載の発明と同様の効果が得られるのは無論のこと、特に、第２部材は、第２構成用開口部を備え、第１構成用開口部を具備する第１部材に対して近付くように回動して第１構成用開口部と第２構成用開口部とが重なり合う面積を可変させることによって、取出部の開口面積を可変させるので、第２部材を第１部材に対して回動させるだけで取出部の開口面積の調整を容易に行うことができる。
【００２８】
請求項１１に記載の発明によれば、請求項１〜１０の何れか一項に記載の発明と同様の効果が得られるのは無論のこと、特に、第１部材及び第２部材の開口面積が最小とされた取出部の縁部を構成する部分は、弾性体で形成されているので、取出部の縁部、即ち、上蓋開口部及び下蓋開口部の縁部における家庭用薄葉紙の係止をより容易に行うことができる。
【００２９】
請求項１２に記載の発明によれば、請求項１〜１１に記載の発明と同様の効果が得られるのは無論のこと、特に、第１部材及び第２部材のうち、少なくとも何れか一方には、取出部の開口面積の調整に係る調整指示表示部が設けられているので、調整指示表示部によって取出部の開口面積の調整方法を認識することができることとなって、家庭用薄葉紙の詰め替え作業をより容易に行うことができる。
【発明を実施するための最良の形態】
【００３０】
以下に、本発明について、図面を用いて具体的な態様を説明する。ただし、発明の範囲は、図示例に限定されない。
【００３１】
［実施形態１］
図１は、本発明を適用した実施形態１の家庭用薄葉紙収納容器１００を示す斜視図である。
なお、以下の説明では、家庭用薄葉紙収納容器１００の開閉部材２２８（後述）の回動軸が設けられている側を後側とし、反対側を手前側とする。さらに、正面視にて、前後方向に直交する一方向を左右方向（幅方向）とし、前後方向及び左右方向の双方に直交する方向を上下方向とする。
【００３２】
実施形態１の家庭用薄葉紙収納容器１００は、例えば、内側にウェットシートやウェットティッシュ等の家庭用薄葉紙Ｐを収納するものである。具体的には、図１に示すように、家庭用薄葉紙収納容器１００は、内側に家庭用薄葉紙Ｐを収納する容器本体１と、家庭用薄葉紙Ｐを取り出すための取出部２Ａを具備し、容器本体１に設けられた開口部（図示略）を閉塞するように取り付けられた蓋体２とを備えている。
【００３３】
容器本体１は、下底部を有するとともに上端部に開口部が設けられた有底円筒状をなしている。そして、当該容器本体１の内側に、上下方向の軸心に沿ってロール状に巻かれた状態で家庭用薄葉紙Ｐが収納されている。
なお、家庭用薄葉紙Ｐは、例えば、継続して引き出されるように複数枚の家庭用薄葉紙Ｐが折り重ねられたものであっても良いし、任意の長さで切断できるように長手方向に一定間隔を空けてミシン目が形成された帯状の家庭用薄葉紙Ｐであっても良い。
【００３４】
また、容器本体１は、例えば、ＰＥ（ポリエチレン）やＰＰ（ポリプロピレン）、或いは、ＡＢＳ樹脂等から形成されているが、容器本体１の材料はこれらに限られるものではない。
【００３５】
次に、蓋体２について図２〜図５を参照して詳細に説明する。
図２は、図１のII−II線における家庭用薄葉紙収納容器１００の蓋体２の断面図である。図３は、蓋体２の下蓋部材２１を示す斜視図であり、図４は、図３のIV−IV線における下蓋部材２１の断面図である。
【００３６】
図２〜図４に示すように、蓋体２は、容器本体１に螺着された下蓋部材（第２部材）２１と、この下蓋部材２１に螺着され、取出部２Ａを開閉する開閉部材２２８を具備する上蓋部材（第１部材）２２とを備えている。
なお、蓋体２を構成する下蓋部材２１及び上蓋部材２２は、例えば、ＰＥやＰＰやＰＥＴ（ポリエチレンテレフタレート）等から形成されているが、下蓋部材２１及び上蓋部材２２の材料はこれらに限られるものではない。
【００３７】
先ず、下蓋部材２１について説明する。
下蓋部材２１は、その下端部に開口部２１１が形成され、この開口部２１１の上側には、当該開口部２１１の縁部を構成する下蓋周面部２１２が形成されている。
【００３８】
下蓋周面部２１２の内面には、図２及び図４に示すように、開口部２１１に連続して下側雌ねじ部２１３が設けられている。
下側雌ねじ部２１３は、下蓋周面部２１２の内面の円周方向に沿って形成され、容器本体１の上端部に形成された雄ねじ部（図示略）と螺合自在とされている。即ち、下蓋部材２１を上下方向の回動中心Ｃ周りに容器本体１に対して相対的に回動させることで、当該下蓋部材２１の下側雌ねじ部２１３に容器本体１の雄ねじ部が螺子込まれて螺着されるようになっている。
【００３９】
下蓋周面部２１２の外面（外周面部）には、図２〜図４に示すように、下側雌ねじ部２１３よりも上側に下側雄ねじ部（螺合部）２１４が形成されている。
下側雄ねじ部２１４は、下蓋周面部２１２の外面の円周方向に沿って形成されている。
【００４０】
また、下蓋部材２１の上端部には、下蓋周面部２１２の上端に連続して下蓋天面部２１５が形成されている。
下蓋天面部２１５は、平面視にて略円形状をなし、前後方向及び左右方向に対して略平行に形成されている。また、下蓋天面部２１５の略中心部には、下蓋開口部（第２構成用開口部）２１６が形成されている。
下蓋開口部２１６は、家庭用薄葉紙Ｐの取出部２Ａを構成するものであり、左右方向に長尺な長円形状をなしている。
【００４１】
次に、上蓋部材２２について説明する。
上蓋部材２２は、その下端部に開口部２２１が形成され、この開口部２２１の上側には、当該開口部２２１の縁部を構成する上蓋周面部２２２が形成されている。
上蓋周面部２２２の内面には、図２に示すように、開口部２２１に連続して上側雌ねじ部（被螺合部）２２３が形成されている。
上側雌ねじ部２２３は、上蓋周面部２２２の内面の円周方向に沿って形成され、下蓋部材２１に形成された下側雄ねじ部２１４と螺合自在とされている。即ち、上蓋部材２２を上下方向の回動中心Ｃ周りに下蓋部材２１に対して相対的に回動させることで、当該上蓋部材２２の上側雌ねじ部２２３に下蓋部材２１の下側雄ねじ部２１４が螺子込まれて螺着される。
なお、上蓋部材２２の上側雌ねじ部２２３に下蓋部材２１の下側雄ねじ部２１４を最も螺子込んだ状態で、図１等に示すように、上蓋開口部２２６と下蓋開口部２１６が略９０度に交わるように重なった状態とされる。
【００４２】
また、上蓋部材２２の上端部には、上蓋周面部２２２の上端に連続して上蓋天面部２２４が形成されている。
上蓋天面部２２４は、その略中央部に凹部２２５が形成され、当該凹部２２５内に上蓋開口部（第１構成用開口部）２２６が形成されている。
上蓋開口部２２６は、家庭用薄葉紙Ｐの取出部２Ａを構成するものであり、下蓋部材２１の下蓋開口部２１６と略同形状、即ち、長円形状に形成されている。また、上蓋開口部２２６は、前後方向及び左右方向に対して略平行に形成され、上蓋部材２２及び下蓋部材２１の相対的な回動中心Ｃと重なるように配置されている。
【００４３】
そして、上蓋部材２２及び下蓋部材２１を相対的に回動させることで、上蓋開口部２２６と下蓋開口部２１６の重なり合う面積を可変させて、取出部２Ａの開口面積を可変させるようになっている。具体的には、上蓋部材２２の下側雌ねじ部２１３に下蓋部材２１の下側雄ねじ部２１４が螺着される際に、当該上蓋部材２２及び下蓋部材２１の相対的な回動に伴って、上蓋開口部２２６と下蓋開口部２１６の重なり合う面積が変化して取出部２Ａの開口面積が変化する。
例えば、図５（ａ）に示すように、上蓋開口部２２６が左右方向に長尺な配置となって当該上蓋開口部２２６と下蓋開口部２１６の略全体が上下に重なった状態となると、取出部２Ａの開口面積が最大となる。一方、図５（ｂ）に示すように、上蓋部材２２を下蓋部材２１に対して相対的に｛１８０＋３６０×（ｎ−１）｝度（ｎは自然数）回動させて、上蓋開口部２２６が前後方向に長尺な配置となって当該上蓋開口部２２６と下蓋開口部２１６の一部分のみが重なった状態では、取出部２Ａの開口面積が最小となる。
なお、図５（ａ）及び図５（ｂ）にあっては、上蓋開口部２２６と下蓋開口部２１６が重なることにより構成されてなる取出部２Ａの開口部分を斜線で模式的に表している。
【００４４】
また、凹部２２５の上蓋開口部２２６の周囲には、当該凹部２２５の上面から上方に突出した環状の壁部２２７が設けられている。
壁部２２７は、その内周面にて開口部を構成しており、その上端部の高さが略等しくなるように前後方向及び左右方向に対して略平行に形成されている。
【００４５】
また、凹部２２５の後側には、取出部２Ａを開閉するように開閉部材２２８が回動自在に軸着されている。
開閉部材２２８は、取出部２Ａを閉塞した状態で、前後方向及び左右方向に対して略平行に延在するように形成されている。即ち、開閉部材２２８は、取出部２Ａを閉塞した状態で、当該開閉部材２２８の下面を凹部２２５の壁部２２７の上端部に当接させるようになっており、これにより、前後方向及び左右方向に対して略平行に配置される。
【００４６】
また、開閉部材２２８の下面には、取出部２Ａを閉塞状態とする際に、凹部２２５の壁部２２７と係合する環状の係合部２２９が設けられている。
係合部２２９は、開閉部材２２８の下面から下方に突出するように形成され、取出部２Ａを閉塞した状態で、当該係合部２２９の内側に壁部２２７が挿入されて係合部２２９の内面に壁部２２７の外面が接するようになっており、これにより、家庭用薄葉紙収納容器１００を気密状態とする。
【００４７】
次に、家庭用薄葉紙Ｐの詰め替え作業について説明する。
この詰め替え作業においては、複数枚の家庭用薄葉紙Ｐ、…が上下方向の軸心に沿ってロール状に巻かれた詰め替え用薄葉紙（図示略）を用いるものとする。
【００４８】
先ず、上蓋部材２２及び下蓋部材２１を容器本体１に対して所定方向に同時に回動させて容器本体１から取り外す。これにより、上蓋部材２２及び下蓋部材２１は、互いに組み合わされた状態で容器本体１から取り外される。
その後、容器本体１の開口部を介して詰め替え用薄葉紙を容器本体１の内側に挿入することで、詰め替え用薄葉紙が容器本体１の内側に収納された状態となる。
【００４９】
そして、上蓋部材２２が組み合わされている下蓋部材２１を上下方向の回動中心Ｃ周りに容器本体１に対して相対的に回動させて、下蓋部材２１の下側雌ねじ部２１３に容器本体１の雄ねじ部を螺子込んで螺着する。このとき、上蓋部材２２の開閉部材２２８は、開状態であっても閉状態であっても良い。
【００５０】
その後、下蓋部材２１に対して上蓋部材２２を相対的に回動させて、上蓋開口部２２６が左右方向に長尺な配置となって当該上蓋開口部２２６と下蓋開口部２１６の略全体が上下に重なった状態とする。これにより、取出部２Ａの開口面積が最大となる。
続けて、開口面積が最大となっている取出部２Ａを介して指を挿入して、詰め替え用薄葉紙の最初に引き出される家庭用薄葉紙Ｐの端部を引き出して、取出部２Ａの上面、即ち、上蓋開口部２２６より所定の長さ突出させる（図１参照）。
その後、下蓋部材２１に対して上蓋部材２２を相対的に回動させて、上蓋開口部２２６が前後方向に長尺な配置となって当該上蓋開口部２２６と下蓋開口部２１６の一部分のみが重なった状態とする。これにより、取出部２Ａの開口面積が最小となって、引き出される家庭用薄葉紙Ｐを取出部２Ａの縁部、即ち、上蓋開口部２２６及び下蓋開口部２１６の縁部に係止し易くすることができる。さらに、取出部２Ａの開口面積を小さくすることで、湿潤タイプの家庭用薄葉紙Ｐの湿潤液の蒸発を抑制することができる。
【００５１】
なお、詰め替え用薄葉紙を収納後、家庭用薄葉紙Ｐをすぐに使用しない場合には、開閉部材２２８を前後方向及び左右方向に対して略平行となる位置まで手前側に回動させることで、取出部２Ａを閉塞させる。
【００５２】
以上のように、実施形態１の家庭用薄葉紙収納容器１００によれば、蓋体２は、相対的に動作して、家庭用薄葉紙Ｐを取り出すための取出部２Ａの開口面積を可変させる上蓋部材２２及び下蓋部材２１を備えている。即ち、上蓋部材２２及び下蓋部材２１は、略同形状をなし、互いに重なり合い、且つ、当該上蓋部材２２及び下蓋部材２１の回動中心Ｃと重なるように形成された上蓋開口部２２６及び下蓋開口部２１６を備えるとともに、略同心（回動中心Ｃ）上に重なるように配置され、相対的に回動して上蓋開口部２２６と下蓋開口部２１６とが重なり合う面積を可変させることによって、上蓋開口部２２６と下蓋開口部２１６とが重ね合わされてなる取出部２Ａの開口面積を可変させる。これにより、取出部２Ａの開口面積を家庭用薄葉紙Ｐの詰め替え作業の際に大きくして、家庭用薄葉紙Ｐの使用の際には小さくするといった取出部２Ａの開口面積の調整を、上蓋部材２２及び下蓋部材２１を相対的に回動させるだけで容易に行うことができ、家庭用薄葉紙Ｐの詰め替え作業を容易に行うことができる。
特に、取出部２Ａの開口は、上蓋開口部２２６及び下蓋開口部２１６が重ね合わされて形成されている。従って、上蓋開口部２２６及び下蓋開口部２１６の各々を詰め替え作業の際に家庭用薄葉紙Ｐを引き出し易いようにより大きいサイズとしても、家庭用薄葉紙Ｐの使用の際には、上蓋部材２２及び下蓋部材２１を相対的に回動させて上蓋開口部２２６と下蓋開口部２１６とが重なり合う面積、即ち、取出部２Ａのサイズをより小さくすることができ、これにより、家庭用薄葉紙Ｐを取出部２Ａの縁部に係止し易くすることができるとともに、家庭用薄葉紙Ｐの湿潤液の蒸発を抑制することができる。
また、家庭用薄葉紙Ｐとして、長手方向に一定間隔を空けてミシン目が形成され、任意の長さで切断して使用する帯状の家庭用薄葉紙Ｐであっても、取出部２Ａを小さくし過ぎて家庭用薄葉紙Ｐがミシン目毎に切断されてしまい、また、取出部２Ａを大きくし過ぎて、家庭用薄葉紙Ｐの係止を適正に行うことができないといった問題を生じさせることがなくなる。
さらに、家庭用薄葉紙Ｐを取出部２Ａを介して引き出す際に、当該家庭用薄葉紙Ｐに含浸されている必要以上の湿潤液を水切りする構成の家庭用薄葉紙収納容器１００にあっては、取出部２Ａの開口面積を調整することで当該取出部２Ａの縁部と家庭用薄葉紙Ｐの接触度合、即ち、取出部２Ａの縁部による家庭用薄葉紙Ｐの押圧（挟持）力を調整して、引き出された家庭用薄葉紙Ｐの湿潤液の含浸量の調整を容易に行うことができる。
また、家庭用薄葉紙Ｐの種類、厚さや幅等が異なるものであっても、家庭用薄葉紙Ｐ毎に蓋体２を製造する必要がなくなって、コストアップを抑制することができる。
【００５３】
さらに、上蓋部材２２の上側雌ねじ部２２３に下蓋部材２１の下側雄ねじ部２１４を螺合させるといったより単純な構成で上蓋部材２２と下蓋部材２１の相対的な回動動作を実現することができる。また、上蓋部材２２の上側雌ねじ部２２３に対する下蓋部材２１の下側雄ねじ部２１４の螺子込み量を調整するだけで、取出部２Ａの開口面積の調整を行うことができ、これにより、家庭用薄葉紙収納容器１００のコストアップを抑制することができる。
【００５４】
なお、本発明は、上記実施形態に限定されることなく、本発明の趣旨を逸脱しない範囲において、種々の改良並びに設計の変更を行っても良い。
例えば、上記実施形態１にあっては、上蓋開口部２２６及び下蓋開口部２１６の形状として、長円形状を例示したが、これに限られるものではなく、略同形状に、且つ、上蓋部材２２及び下蓋部材２１の回動中心Ｃと重なるように形成されていれば適宜任意に変更することができる。
【００５５】
以下に、上蓋開口部２２６及び下蓋開口部２１６の変形例について図６〜図９を参照して説明する。
なお、変形例１〜変形例４にあっては、上蓋開口部２２６及び下蓋開口部２１６以外の点で上記実施形態１の家庭用薄葉紙収納容器１００と略同様の構成をなし、その説明は省略する。また、図６〜図９にあっては、下蓋開口部２１６を破線で模式的に表すとともに、上蓋開口部２２６と下蓋開口部２１６が重なることにより構成される取出部２Ａの開口部分を斜線で模式的に表している。
【００５６】
＜変形例１＞
図６（ａ）は、変形例１の上蓋開口部２２６ａ及び下蓋開口部２１６ａの略全体が上下に重なった状態を模式的に示す図であり、図６（ｂ）は、上蓋開口部２２６ａ及び下蓋開口部２１６ａの一部分のみが上下に重なった状態を模式的に示す図である。
図６（ａ）及び図６（ｂ）に示すように、変形例１の上蓋開口部２２６ａ及び下蓋開口部２１６ａの各々は、上蓋部材２２及び下蓋部材２１の回動中心Ｃと重なるように半円よりもわずかに広い面積を有し、当該上蓋開口部２２６ａ及び下蓋開口部２１６ａの縁部分が波形状に形成されている。
【００５７】
これにより、図６（ａ）に示すように、上蓋開口部２２６ａと下蓋開口部２１６ａの略全体が上下に重なった状態とすることで、取出部２Ａの開口面積を最大とすることができる。
一方、図６（ｂ）に示すように、上蓋部材２２を下蓋部材２１に対して相対的に｛１８０＋３６０×（ｎ−１）｝度（ｎは自然数）回動させて、上蓋開口部２２６ａと下蓋開口部２１６ａの一部分のみが重なった状態とすることで、取出部２Ａの開口面積を最小とすることができる。
【００５８】
＜変形例２＞
図７（ａ）は、変形例２の上蓋開口部２２６ｂ及び下蓋開口部２１６ｂの略全体が上下に重なった状態を模式的に示す図であり、図７（ｂ）は、上蓋開口部２２６ｂ及び下蓋開口部２１６ｂの一部分のみが上下に重なった状態を模式的に示す図である。
図７（ａ）及び図７（ｂ）に示すように、変形例２の上蓋開口部２２６ｂ及び下蓋開口部２１６ｂの各々は、上蓋部材２２及び下蓋部材２１の回動中心Ｃと重なるように配置された小さい半円形部ｂ１と、この半円形部に連続して形成され、半円形部よりも広い面積を有する僅かに扁平の大円形部ｂ２とを具備している。
【００５９】
これにより、図７（ａ）に示すように、上蓋開口部２２６ｂと下蓋開口部２１６ｂの略全体が上下に重なった状態とすることで、取出部２Ａの開口面積を最大とすることができる。
一方、図７（ｂ）に示すように、上蓋部材２２を下蓋部材２１に対して相対的に｛１８０＋３６０×（ｎ−１）｝度（ｎは自然数）回動させて、上蓋開口部２２６ｂと下蓋開口部２１６ｂの一部分のみが重なった状態とすることで、取出部２Ａの開口面積を最小とすることができる。
【００６０】
＜変形例３＞
図８（ａ）は、変形例３の上蓋開口部２２６ｃ及び下蓋開口部２１６ｃの略全体が上下に重なった状態を模式的に示す図であり、図８（ｂ）は、上蓋開口部２２６ｃ及び下蓋開口部２１６ｃの一部分のみが上下に重なった状態を模式的に示す図である。
図８（ａ）及び図８（ｂ）に示すように、変形例３の上蓋開口部２２６ｃ及び下蓋開口部２１６ｃの各々は、二つの菱形の一部分を重ね合わせるようにして形成され、当該二つの菱形が重なった部分が上蓋部材２２及び下蓋部材２１の回動中心Ｃと重なり、且つ、当該二つの菱形の長い方の対角線が上蓋部材２２及び下蓋部材２１の直径と重なるように配置されている。
即ち、上蓋部材２２の上蓋開口部２２６ｃの縁部及び下蓋部材２１の下蓋開口部２１６ｃの縁部には、回動中心Ｃに向けて突出した突出部ｃ１が形成されている。
【００６１】
これにより、図８（ａ）に示すように、上蓋開口部２２６ｃと下蓋開口部２１６ｃの略全体が上下に重なった状態とすることで、取出部２Ａの開口面積を最大とすることができる。
一方、図８（ｂ）に示すように、上蓋部材２２を下蓋部材２１に対して相対的に｛９０＋１８０×（ｎ−１）｝度（ｎは自然数）回動させて、上蓋開口部２２６ｃと下蓋開口部２１６ｃの一部分のみが重なった状態とすることで、取出部２Ａの開口面積を最小とすることができる。
【００６２】
＜変形例４＞
図９（ａ）は、変形例４の上蓋開口部２２６ｄ及び下蓋開口部２１６ｄの略全体が上下に重なった状態を模式的に示す図であり、図９（ｂ）は、上蓋開口部２２６ｄ及び下蓋開口部２１６ｄの一部分のみが上下に重なった状態を模式的に示す図である。
図９（ａ）及び図９（ｂ）に示すように、変形例４の上蓋部材２２及び下蓋部材２１は、上蓋部材２２及び下蓋部材２１の円周部から当該上蓋部材２２及び下蓋部材２１の回動中心Ｃ側に突出した尖頭状の突出部ｄ１を二つずつ備えている。具体的には、二つの突出部ｄ１、ｄ１は、略９０度間隔を空けて配置され、各突出部ｄ１は、所定長の円弧部分の両端から延出された二直線が回動中心Ｃ近傍で交わるようにして、一の角部を形成している。
そして、上蓋部材２２及び下蓋部材２１の突出部ｄ１以外の部分により上蓋開口部２２６ｄ及び下蓋開口部２１６ｄが構成され、これら上蓋開口部２２６ｄ及び下蓋開口部２１６ｄの各々は、上蓋部材２２及び下蓋部材２１の回動中心Ｃと重なるように配置されている。
【００６３】
これにより、図９（ａ）に示すように、上蓋開口部２２６ｄと下蓋開口部２１６ｄの略全体が上下に重なった状態とすることで、取出部２Ａの開口面積を最大とすることができる。
一方、図９（ｂ）に示すように、上蓋部材２２を下蓋部材２１に対して相対的に｛１８０＋３６０×（ｎ−１）｝度（ｎは自然数）回動させて、上蓋開口部２２６ｄと下蓋開口部２１６ｄの一部分のみが重なった状態とすることで、取出部２Ａの開口面積を最小とすることができる。
【００６４】
また、例えば、上記実施形態１にあっては、下蓋部材２１の下側雄ねじ部２１４と上蓋部材２２の上側雌ねじ部２２３とを螺着したが、上蓋部材２２及び下蓋部材２１を相対的に回動自在とする上での当該上蓋部材２２及び下蓋部材２１の組み付け方法はこれに限られるものではない。
以下に、上蓋部材２２及び下蓋部材２１の組み付け方法の変形例について図１０及び図１１を参照して説明する。
なお、変形例５及び変形例６にあっては、上蓋部材２２及び下蓋部材２１の組み付けに係る構成以外の点で上記実施形態１の家庭用薄葉紙収納容器１００と略同様の構成をなし、その説明は省略する。
【００６５】
＜変形例５＞
図１０は、変形例５の家庭用薄葉紙収納容器の蓋体５０２の断面図である。
図１０に示すように、変形例５の蓋体５０２を構成する上蓋部材２２の上蓋周面部２２２の内面には、開口部２２１に連続して係合部５２１が形成され、下蓋部材２１の下蓋周面部２１２の外面には、係合部５２１が係合する被係合部５２２が形成されている。
【００６６】
係合部５２１は、上蓋周面部２２２の内面から回動中心Ｃ側に突出する凸型をなし、当該上蓋周面部２２２の円周方向に沿って形成されている。即ち、係合部５２１は、回動中心Ｃと略同心の円周に沿って形成されている。
被係合部５２２は、下蓋周面部２１２の外面から回動中心Ｃ側に凹んだ凹型をなし、当該下蓋周面部２１２の円周方向に沿って形成されている。即ち、被係合部５２２は、回動中心Ｃと略同心の円周に沿って形成されている。
【００６７】
従って、変形例５によれば、上蓋部材２２は、上蓋部材２２及び下蓋部材２１の回動中心Ｃと略同心の円周に沿って形成された係合部５２１を備え、下蓋部材２１は、回動中心Ｃと略同心の円周に沿って形成され、係合部５２１が係合する被係合部５２２を備えているので、上蓋部材２２の係合部５２１を下蓋部材２１の被係合部５２２に係合させるといったより単純な構成で上蓋部材２２と下蓋部材２１の相対的な回動動作を実現することができる。これにより、家庭用薄葉紙収納容器１００のコストアップを抑制することができる。
【００６８】
＜変形例６＞
図１１は、変形例６の家庭用薄葉紙収納容器の蓋体６０２の断面図である。
図１１に示すように、変形例６の蓋体６０２を構成する上蓋部材２２の上蓋周面部２２２の下端部に、係合部６２１が形成され、下蓋部材２１の下蓋天面部２１５に、係合部６２１が係合する被係合部６２２が形成されている。
【００６９】
係合部６２１は、上蓋周面部２２２の下端部からわずかに回動中心Ｃ側に突出し、その先端部が下側に略９０度屈曲する形状をなし、当該上蓋周面部２２２の円周方向に沿って形成されている。即ち、係合部６２１は、回動中心Ｃと略同心の円周に沿って形成されている。
被係合部６２２は、下蓋天面部２１５の外周縁部に周方向に沿って、即ち、回動中心Ｃと略同心の円周に沿って形成されている。具体的には、被係合部６２２は、係合部６２１の形状に対応するように、下蓋天面部２１５の外端部の上面から上側に突出した突起部６２２ａと、突起部６２２ａよりも内側部分から上側に突出し、その先端部が外側に略９０度屈曲する鉤状部６２２ｂとを備えて構成されている。
そして、被係合部６２２の突起部６２２ａと鉤状部６２２ｂの間に係合部６２１が差し込まれて係合されている。
【００７０】
従って、変形例６によれば、上記変形例５と同様に、上蓋部材２２の係合部６２１を下蓋部材２１の被係合部６２２に係合させるといったより単純な構成で上蓋部材２２と下蓋部材２１の相対的な回動動作を実現することができる。これにより、家庭用薄葉紙収納容器１００のコストアップを抑制することができる。
【００７１】
なお、変形例５及び変形例６にあっては、係合部５２１、６２１を上蓋部材２２に設け、被係合部５２２、６２２を下蓋部材２１に設けるようにしたが、これに限られるものではなく、係合部５２１、６２１を下蓋部材２１に設け、被係合部５２２、６２２を上蓋部材２２に設けるようにしても良い。
【００７２】
＜変形例７＞
また、上記実施形態１並びに変形例１〜６にあっては、上蓋部材２２及び下蓋部材２１の相対的な回動を所定位置にて規制する回動規制手段を備えるようにしても良い。
即ち、変形例７の家庭用薄葉紙収納容器の蓋体７０２は、図１２及び図１３に示すように、上蓋周面部２２２に形成された突起部（凸部）７２２ａを具備する上蓋部材７２２と、下蓋周面部２１２に形成された歯車状部（凹部）７２１ａを具備する下蓋部材７２１とを備え、突起部７２２ａと歯車状部７２１ａにより回動規制手段を構成している。
図１２（ａ）は、変形例７の蓋体７０２を構成する下蓋部材７２１を示す側面図であり、図１２（ｂ）は、図１２（ａ）のＢ−Ｂ線における下蓋部材７２１の断面図である。また、図１３は、変形例７の蓋体７０２を構成する上蓋部材７２２を下側から視て示す図である。
なお、変形例７にあっては、回動規制手段以外の点で上記変形例５の家庭用薄葉紙収納容器と略同様の構成をなし、その説明は省略する。
【００７３】
歯車状部７２１ａは、図１２（ａ）及び図１２（ｂ）に示すように、下蓋周面部２１２の被係合部５２２に所定間隔を空けて４つ形成されている。具体的には、４つの歯車状部７２１ａ、…は、被係合部５２２に略９０度間隔を空けて配置されている。また、各歯車状部７２１ａは、被係合部５２２の凹型の底面、図１２（ａ）における回動中心Ｃ側の面から外側に突出するように形成され、周方向に沿って凹凸が所定の長さ繰り返されることで構成されている。即ち、歯車状部７２１ａは、上蓋部材７２２及び下蓋部材７２１の回動中心Ｃと略同心の円周上に形成されている。
【００７４】
突起部７２２ａは、図１３に示すように、上蓋周面部２２２の係合部２２９に所定間隔を空けて４つ形成されている。具体的には、４つの突起部７２２ａ、…は、係合部５２１に略９０度間隔を空けて配置されている。また、各突起部７２２ａは、係合部５２１の表面、図１３における回動中心Ｃ側の面からさらに内側に突出して、歯車状部７２１ａと係合する凸型に形成されている。即ち、突起部７２２ａは、上蓋部材７２２及び下蓋部材７２１の回動中心Ｃと略同心の円周上に形成されている。
そして、突起部７２２ａが歯車状部７２１ａに係合することで、上蓋部材７２２及び下蓋部材７２１の相対的な回動を規制する。
【００７５】
従って、変形例７によれば、上蓋部材７２２には、上蓋部材７２２及び下蓋部材７２１のうちの何れか一方の回動中心Ｃと略同心の円周上に形成された突起部７２２ａが形成され、下蓋部材７２１には、回動中心Ｃと略同心の円周上に形成され、突起部７２２ａと係合する歯車状部７２１ａが形成され、これら突起部７２２ａと歯車状部７２１ａにより回動規制手段が構成されているので、当該回動規制手段によって、上蓋部材７２２及び下蓋部材７２１の相対的な回動を所定位置にて容易に規制することができ、所望の大きさに調整された取出部２Ａの開口面積の維持を容易に行うことができる。
【００７６】
なお、変形例７にあっては、回動規制手段を構成する突起部（凸部）７２２ａを上蓋部材７２２に設け、歯車状部（凹部）７２１ａを下蓋部材７２１に設けるようにしたが、これに限られるものではなく、突起部７２２ａを下蓋部材７２１に設け、歯車状部７２１ａを上蓋部材７２２に設けるようにしても良い。
【００７７】
また、変形例７にあっては、回動規制手段として、突起部７２２ａと歯車状部７２１ａから構成されたものを例示したが、これに限られるものではなく、例えば、上蓋部材７２２の係合部５２１と下蓋部材７２１の被係合部５２２を摺動させることで当該上蓋部材７２２及び下蓋部材７２１の相対的な回動を規制するようにしても良い。
即ち、上蓋部材７２２及び下蓋部材７２１のうち、少なくとも何れか一方に、回動中心Ｃと略同心の円周上に弾性部（図示略）を形成し、上蓋部材７２２及び下蓋部材７２１の相対的な回動に伴って弾性部を当該弾性部と対向する部分に摺接せて、当該上蓋部材７２２及び下蓋部材７２１の回動を規制するようにしても良い。
例えば、上蓋部材７２２に第１弾性部を形成した場合には、下蓋部材７２１に、第１弾性部と対向する部分として第２弾性部を形成して、当該第１弾性部と第２弾性部を摺接させるようにしても良いし、また、下蓋部材７２１に、第１弾性部と対向する部分として弾性を有しない摺動面を形成して、当該第１弾性部と摺動面を摺接させるようにしても良い。
なお、上蓋部材７２２と下蓋部材７２１の構成を逆、即ち、下蓋部材７２１に第１弾性部を形成し、上蓋部材７２２に第２弾性部や摺動面を形成しても良い。
【００７８】
また、上記変形例７にあっては、回動規制手段を構成する突起部７２２ａを上蓋部材７２２の上蓋周面部２２２に設け、歯車状部７２１ａを下蓋部材７２１の下蓋周面部２１２に設けるようにしたが、突起部７２２ａ及び歯車状部７１２ａを設ける位置は回動中心Ｃの円周上であれば適宜任意に変更することができる。例えば、突起部７２２ａを上蓋天面部２２４に設け、歯車状部７２１ａを下蓋天面部２１５に設けるようにしても良い。つまり、変形例６に係る係合部６２１に突起部を設け、被係合部６２２に歯車状部を設けるようにしても良い。
【００７９】
さらに、上記実施形態１並びに変形例１〜７にあっては、取出部２Ａの開口面積の調整に際して、上蓋部材２２、７２２を下蓋部材２１、７２１に対して回動させるようにしたが、これに限られるものではなく、下蓋部材２１、７２１を上蓋部材２２、７２２に対して回動させても良い。
また、第１部材として上蓋部材２２、７２２を例示し、第２部材として下蓋部材２１、７２１を例示したが、上蓋部材２２、７２２を第２部材とし、下蓋部材２１、７２１を第１部材としても良い。
【００８０】
［実施形態２］
以下に、実施形態２の家庭用薄葉紙収納容器８００について、図１４及び図１５を参照して説明する。
図１４は、本発明を適用した実施形態２の家庭用薄葉紙収納容器８００を示す斜視図である。また、図１５（ａ）及び図１５（ｂ）は、図１４のXV−XV線における家庭用薄葉紙収納容器８００に備わる蓋体８０２の断面図であり、このうち、図１５（ａ）は、取出部２Ａの開口面積を最小とした状態であり、図１５（ｂ）は、取出部２Ａの開口面積を最大とした状態である。
【００８１】
実施形態２の家庭用薄葉紙収納容器８００は、図１４並びに図１５（ａ）及び図１５（ｂ）に示すように、上蓋部材８２２が、前後方向にスライド移動自在に構成されたスライド部材８２２ｂを備え、当該スライド部材８２２ｂをスライド移動させることで取出部２Ａの開口面積を可変させるようになっている。
なお、実施形態２にあっては、上蓋部材８２２及び下蓋部材８２１以外の点で上記実施形態１の家庭用薄葉紙収納容器１００と略同様の構成をなし、その説明は省略する。
【００８２】
下蓋部材８２１の下蓋天面部２１５の略中心部よりもわずかに前側に、下蓋開口部（構成用開口部）８２１６が形成されている。
下蓋開口部８２１６は、家庭用薄葉紙Ｐの取出部２Ａを構成するものであり、左右方向に長尺な長円形状をなしている。
【００８３】
上蓋部材８２２は、開閉部材２２８を具備する上蓋本体部８２２ａと、上蓋本体部８２２ａに対して前後方向にスライド移動自在に配設されたスライド部材８２２ｂとを備えている。
上蓋本体部８２２ａの凹部２２５には、スライド部材８２２ｂが配設されるとともに前後方向のスライド移動量を規制するためのスライド用開口部２２５ａが形成されている。凹部２２５のスライド用開口部２２５ａの後端縁部は、僅かに後側に切り欠かれ、家庭用薄葉紙Ｐが通過する通過口８２２６の後端部分を構成する小切欠部２２５ｂを具備している。なお、通過口８２２６の大きさは、下蓋部材８２１の下蓋開口部８２１６よりも小さい面積に形成されている。
また、上蓋本体部８２２ａは、凹部２２５に形成されている環状の壁部２２７の後側の略半分を構成する後壁部構成部２２７ａを備えている。
【００８４】
スライド部材８２２ｂは、スライド用開口部２２５ａよりも幅広に形成された半円弧状のフランジ部８２２ｃを具備し、当該フランジ部８２２ｃがスライド用開口部２２５ａの縁部と下蓋部材８２１の下蓋天面部２１５の間に挟まれた状態となることで、上側及び左右両側に抜止めされた状態でスライド移動自在となっている（図１５（ａ）及び図１５（ｂ）参照）。
スライド部材８２２ｂの底面部の後端部は、スライド用開口部２２５ａよりも大きく前側に切り欠かれ、家庭用薄葉紙Ｐが通過する通過口８２２６の略全体部分を構成する大切欠部８２２ｄを具備している。
また、スライド部材８２２ｂは、環状の壁部２２７の前側の略半分を構成する前壁部構成部２２７ｂを備えている。
【００８５】
そして、スライド部材８２２ｂを前後方向にスライド移動させることで、スライド部材８２２ｂと下蓋開口部８２１６の重なり合う面積、即ち、通過口８２２６と下蓋開口部８２１６の重なり合う面積を可変させる。
例えば、図１５（ａ）に示すように、スライド部材８２２ｂが最も後側にスライド移動した状態では、当該スライド部材８２２ｂの大切欠部８２２ｄと凹部２２５の小切欠部２２５ｂとが組み合わさって通過口８２２６を構成するとともに、上蓋本体部８２２ａの後壁部構成部２２７ａとスライド部材８２２ｂの前壁部構成部２２７ｂとが組み合わさって環状の壁部２２７を構成している。
かかる状態では、取出部２Ａの開口面積、即ち、通過口８２２６と下蓋開口部８２１６の重なり合う面積が最小となって、引き出される家庭用薄葉紙Ｐを取出部２Ａの縁部、即ち、通過口８２２６及び下蓋開口部８２１６の縁部に係止し易くすることができる。また、家庭用薄葉紙収納容器１００の非使用の際には、開閉部材２２８を手前側に回動させて、開閉部材２２８の係合部２２９と環状の壁部２２７を係合させて、家庭用薄葉紙収納容器８００を気密状態とすることもできる。
【００８６】
一方、図１５（ａ）の状態からスライド部材８２２ｂを手前側にスライド移動させていくと、スライド部材８２２ｂと下蓋開口部８２１６の重なり合う面積が次第に小さくなって、即ち、通過口８２２６と下蓋開口部８２１６の重なり合う面積が次第に大きくなっていく。そして、スライド部材８２２ｂの前端部がスライド用開口部２２５ａの前端縁部に接触することで、通過口８２２６と下蓋開口部８２１６の重なり合う面積が最大となる（図１５（ｂ）参照）。
かかる状態では、取出部２Ａの開口面積が最大となって、取出部２Ａを介して指を挿入して、詰め替え用薄葉紙の最初に引き出される家庭用薄葉紙Ｐの端部を引き出し易くすることができる。
【００８７】
以上のように、実施形態２の家庭用薄葉紙収納容器８００によれば、上蓋部材８２２のスライド部材８２２ｂは、下蓋開口部８２１６を具備する下蓋部材８２１に対してスライド移動して下蓋開口部８２１６と当該スライド部材８２２ｂとが重なり合う面積を可変させることによって、取出部２Ａの開口面積を可変させるので、スライド部材８２２ｂを下蓋部材８２１に対してスライド移動させるだけで取出部２Ａの開口面積の調整を容易に行うことができる。
【００８８】
＜変形例８＞
図１６は、変形例８の家庭用薄葉紙収納容器９００を示す斜視図である。また、図１７（ａ）は、変形例８の上蓋開口部９２２６及び下蓋部材９２１６の一部分のみが上下に重なった状態を模式的に示す図であり、図１７（ｂ）は、上蓋開口部９２２６及び下蓋部材９２１６の略全体が上下に重なった状態を模式的に示す図である。
なお、図１７（ａ）及び図１７（ｂ）にあっては、下蓋開口部９２１６を破線で模式的に表すとともに、上蓋開口部９２２６と下蓋開口部９２１６が重なることにより構成される取出部２Ａの開口部分を斜線で模式的に表している。
【００８９】
図１６並びに図１７（ａ）及び図１７（ｂ）に示すように、上蓋部材９２２のスライド部材８２２ｂには、上蓋開口部９２２６が形成され、下蓋部材９２１には、上蓋開口部９２２６と略同形状の下蓋開口部９２１６が形成されている。
なお、変形例８にあっては、上蓋部材９２２及び下蓋部材９２１以外の点で上記実施形態２の家庭用薄葉紙収納容器８００と略同様の構成をなし、その説明は省略する。
【００９０】
スライド部材８２２ｂの略中心部よりもわずかに前側に、上蓋開口部（第１構成用開口部）９２２６が形成されている。
上蓋開口部９２２６は、家庭用薄葉紙Ｐの取出部２Ａを構成するものであり、左右方向に長尺な長円形状をなしている。
【００９１】
下蓋部材９２１には、スライド部材８２２ｂのスライド移動方向に沿った直線と重なるように配置された下蓋開口部９２１６が形成されている。
そして、スライド部材８２２ｂを前後方向にスライド移動させることで、上蓋開口部９２２６と下蓋開口部９２１６の重なり合う面積を可変させる。
例えば、図１７（ａ）に示すように、スライド部材８２２ｂが最も後側にスライド移動した状態では、スライド部材８２２ｂの上蓋開口部９２２６と下蓋部材９２１の下蓋開口部９２１６の一部分のみが重なった状態となっている。
かかる状態では、取出部２Ａの開口面積が最小となって、引き出される家庭用薄葉紙Ｐを取出部２Ａの縁部、即ち、上蓋開口部９２２６及び下蓋開口部９２１６の縁部に係止し易くすることができる。
一方、図１７（ａ）の状態からスライド部材８２２ｂを手前側にスライド移動させていくと、上蓋開口部９２２６と下蓋開口部９２１６の重なり合う面積が次第に大きくなっていく。そして、スライド部材８２２ｂの前端部がスライド用開口部２２５ａの前端縁部に接触することで、上蓋開口部９２２６と下蓋開口部９２１６の重なり合う面積が最大となる（図１７（ｂ）参照）。
かかる状態では、開口面積が最大となっている取出部２Ａを介して指を挿入して、詰め替え用薄葉紙の最初に引き出される家庭用薄葉紙Ｐの端部を引き出し易くすることができる。
【００９２】
なお、変形例８にあっては、上蓋開口部９２２６及び下蓋開口部９２１６を略同形状に形成したが、これに限られるものではなく、少なくとも上蓋開口部９２２６が下蓋開口部９２１６よりも広い面積を有するような形状であれば適宜任意に変更することができる。
【００９３】
従って、変形例８によれば、上蓋部材８２２のスライド部材８２２ｂは、上蓋開口部９２２６を備え、下蓋開口部９２１６を具備する下蓋部材９２１に対してスライド移動して下蓋開口部９２１６と上蓋開口部９２２６とが重なり合う面積を可変させることによって、取出部２Ａの開口面積を可変させるので、スライド部材８２２ｂを下蓋開口部９２１６に対してスライド移動させるだけで取出部２Ａの開口面積の調整を容易に行うことができる。
【００９４】
また、上記実施形態２及び変形例８にあっては、スライド部材８２２ｂのフランジ部８２２ｃをスライド用開口部２２５ａの縁部と下蓋部材８２１、９２１の下蓋天面部２１５の間に挟むことで当該スライド部材８２２ｂのスライド移動を案内するようにしたが、これに限られるものではなく、例えば、上蓋部材８２２にフランジ部８２２ｃを係止する所定のガイド部を設けるようにしても良い。
さらに、スライド部材８２２ｂを上蓋部材８２２、９２２に設けるようにしたが、下蓋部材８２１、９２１に設けるようにしても良い。
【００９５】
［実施形態３］
以下に、実施形態３の家庭用薄葉紙収納容器について、図１８並びに図１９（ａ）及び図１９（ｂ）を参照して説明する。
図１８は、本発明を適用した実施形態３の家庭用薄葉紙収納容器に備わる蓋体１００２の断面図である。また、図１９（ａ）は、下蓋開口部１０２１６のみを模式的に示す図であり、図１９（ｂ）は、上蓋開口部１０２２６及び下蓋開口部１０２１６の一部分が上下に重なった状態を模式的に示す図である。
なお、図１９（ｂ）にあっては、下蓋開口部１０２１６を破線で模式的に表すとともに、上蓋開口部１０２２６と下蓋開口部１０２１６が重なることにより構成される取出部２Ａの開口部分を斜線で模式的に表している。
【００９６】
実施形態３の家庭用薄葉紙収納容器は、図１８並びに図１９（ａ）及び図１９（ｂ）に示すように、上蓋部材１０２２には、上蓋本体部８２２ａに対して回動自在に軸着され、上蓋開口部１０２２６が形成された回動部材１１００が設けられ、当該回動部材１１００を手前側に回動させて上蓋開口部１０２２６と下蓋開口部１０２１６を重ね合わせることで取出部２Ａの開口面積を可変させるようになっている。
なお、実施形態３にあっては、上蓋部材１０２２以外の点で上記実施形態１の家庭用薄葉紙収納容器１００と略同様の構成をなし、その説明は省略する。
【００９７】
上蓋部材１０２２は、具体的には、下蓋部材１０２１の下側雄ねじ部２１４に螺着される上側雌ねじ部２２３を具備する上蓋本体部１０２２ａと、上蓋本体部１０２２ａに対して回動自在に軸着された回動部材１１００とを備えている。
【００９８】
回動部材１１００は、上蓋本体部１０２２ａの後端部側の回動軸部（図示略）に軸着され、左右方向の軸心周りに回動自在に構成されている。
また、回動部材１１００の略中央部に凹部１０２２５が形成され、当該凹部１０２２５内に上蓋開口部（第１構成用開口部）１０２２６が形成されている。なお、凹部１０２２５の後側には、取出部２Ａを開閉するように開閉部材２２８が回動自在に軸着されている。
上蓋開口部１０２２６は、下蓋部材１０２１の下蓋開口部１０２１６と略同形状、即ち、長円形状をなし、前後方向に長尺となるように形成されている。また、上蓋開口部１０２２６は、上蓋部材１０２２及び下蓋部材１０２１の相対的な回動中心Ｃと重なるように配置されている。
【００９９】
そして、回動部材１１００を手前側に回動させることで、上蓋開口部１０２２６と下蓋開口部１０２１６の重なった状態として、取出部２Ａの開口面積を可変させる。
例えば、図１９（ａ）に示すように、回動部材１１００を後側に回動させた状態では、上蓋開口部１０２２６と下蓋開口部１０２１６は上下に重なった状態とならず、下蓋開口部１０２１６のみによって取出部２Ａが構成されている。
かかる状態では、取出部２Ａ（下蓋開口部１０２１６）の開口面積が最大となって、取出部２Ａを介して指を挿入して、詰め替え用薄葉紙の最初に引き出される家庭用薄葉紙Ｐの端部を引き出し易くすることができる。
一方、図１９（ａ）の状態から回動部材１１００を手前側に回動させて、上蓋開口部１０２２６と下蓋開口部１０２１６を上下に重なった状態とすると、これら上蓋開口部１０２２６と下蓋開口部１０２１６により構成される取出部２Ａの開口面積が最小となって（図１９（ｂ）参照）、引き出される家庭用薄葉紙Ｐを取出部２Ａの縁部、即ち、上蓋開口部１０２２６及び下蓋開口部１０２１６の縁部に係止し易くすることができる。
【０１００】
以上のように、実施形態３の家庭用薄葉紙収納容器によれば、上蓋部材１０２２は、上蓋開口部１０２２６を備え、下蓋開口部１０２１６を具備する下蓋部材１０２１に対して近付くように回動して下蓋開口部１０２１６と上蓋開口部１０２２６とが重なり合う面積を可変させることによって、取出部２Ａの開口面積を可変させるので、上蓋部材１０２２を下蓋部材１０２１に対して回動させるだけで取出部２Ａの開口面積の調整を容易に行うことができる。
【０１０１】
なお、上記実施形態にあっては、上蓋部材２２、７２２、８２２、９２２、１０２２（スライド部材８２２ｂを含む）及び下蓋部材２１、７２１、８２１、９２１、１０２１における開口面積が最小とされた取出部２Ａの縁部を構成する部分を樹脂等の弾性体で形成しても良い。これにより、取出部２Ａの縁部、即ち、上蓋開口部２２６、９２２６、１０２２６及び下蓋開口部２１６、８２１６、９２１６、１０２１６の縁部における家庭用薄葉紙Ｐの係止をより容易に行うことができる。
【０１０２】
また、上記実施形態にあっては、上蓋部材２２、７２２、８２２、９２２、１０２２（スライド部材８２２ｂを含む）及び下蓋部材２１、７２１、８２１、９２１、１０２１のうち、少なくとも何れか一方に、取出部２Ａの開口面積の調整における上蓋部材２２及び下蓋部材２１の動作方向や動作量を示す調整指示表示部を設けるようにしても良い。具体的には、調整指示表示部として、矢印や目盛りや文字等を設けるようにしても良い。これにより、ユーザは上蓋部材２２や下蓋部材２１の動作方向や動作量等を認識することができ、家庭用薄葉紙Ｐの詰め替え作業をより容易に行うことができる。
【０１０３】
また、その他、具体的な細部構造等についても適宜に変更可能であることは勿論である。
例えば、上記実施形態にあっては、開閉部材２２８により取出部２Ａの開口を開閉するようにしたが、これに限られるものではなく、例えば、当該開閉部材２２８の代わりに、取出部２Ａを閉塞して当該家庭用薄葉紙収納容器１００を気密状態とするためのキャップ部材（図示略）を着脱自在に設けても良い。
さらに、当該キャップ部材を開閉部材２２８ごと取出部２Ａを覆うように設けても良く、かかる場合にあっては、開閉部材２２８により取出部２Ａが完全に閉塞された状態となる必要はない。例えば、開閉部材２２８を手前側に回動させた状態で、家庭用薄葉紙Ｐが上側以外の所定方向に引き出されるように当該家庭用薄葉紙Ｐの引き出し用の隙間が設けられるようにしても良い。
【図面の簡単な説明】
【０１０４】
【図１】本発明を適用した実施形態１の家庭用薄葉紙収納容器を示す斜視図である。
【図２】図１のII−II線における家庭用薄葉紙収納容器に備わる蓋体の断面図である。
【図３】図１の家庭用薄葉紙収納容器の下蓋部材を示す斜視図である。
【図４】図３のIV−IV線における下蓋部材の断面図である。
【図５】図１の家庭用薄葉紙収納容器の取出部の状態を模式的に示す図である。
【図６】変形例１の家庭用薄葉紙収納容器の上蓋開口部及び下蓋開口部の状態を模式的に示す図である。
【図７】変形例２の家庭用薄葉紙収納容器の上蓋開口部及び下蓋開口部の状態を模式的に示す図である。
【図８】変形例３の家庭用薄葉紙収納容器の上蓋開口部及び下蓋開口部の状態を模式的に示す図である。
【図９】変形例４の家庭用薄葉紙収納容器の上蓋開口部及び下蓋開口部の状態を模式的に示す図である。
【図１０】変形例５の家庭用薄葉紙収納容器の蓋体の断面図である。
【図１１】変形例６の家庭用薄葉紙収納容器の蓋体の断面図である。
【図１２】変形例７の家庭用薄葉紙収納容器の下蓋部材を示す図である。
【図１３】図１２の家庭用薄葉紙収納容器の上蓋部材を下側から視て示す図である。
【図１４】本発明を適用した実施形態２の家庭用薄葉紙収納容器を示す斜視図である。
【図１５】図１４のXV−XV線における家庭用薄葉紙収納容器に備わる蓋体の断面図である。
【図１６】変形例８の家庭用薄葉紙収納容器を示す斜視図である。
【図１７】図１６の家庭用薄葉紙収納容器の上蓋開口部及び下蓋開口部の状態を模式的に示す図である。
【図１８】本発明を適用した実施形態３の家庭用薄葉紙収納容器に備わる蓋体の断面図である。
【図１９】図１８の家庭用薄葉紙収納容器の上蓋開口部及び下蓋開口部の状態を模式的に示す図である。
【符号の説明】
【０１０５】
１００、８００、９００  家庭用薄葉紙収納容器
１      容器本体
２、５０２、６０２、７０２、８０２、１００２  蓋体
２１、７２１、８２１、９２１、１０２１  下蓋部材
２１２  下蓋周面部
２１４  下側雄ねじ部（螺合部）
２１６、８２１６、９２１６、１０２１６  下蓋開口部
２２、７２２、８２２、９２２、１０２２  上蓋部材
２２２  上蓋周面部
２２３  上側雌ねじ部（被螺合部）
２２６、９２２６、１０２２６  上蓋開口部
５２１、６２１  係合部
５２２、６２２  被係合部
７２１ａ  歯車状部（凹部、回動規制手段）
７２２ａ  突起部（凸部、回動規制手段）
８２２ｂ  スライド部材
Ｐ      家庭用薄葉紙
【図１】
2010083515.tif 000003
【図２】
2010083515.tif 000004
【図３】
2010083515.tif 000005
【図４】
2010083515.tif 000006
【図５】
2010083515.tif 000007
【図６】
2010083515.tif 000008
【図７】
2010083515.tif 000009
【図８】
2010083515.tif 000010
【図９】
2010083515.tif 000011
【図１０】
2010083515.tif 000012
【図１１】
2010083515.tif 000013
【図１２】
2010083515.tif 000014
【図１３】
2010083515.tif 000015
【図１４】
2010083515.tif 000016
【図１５】
2010083515.tif 000017
【図１６】
2010083515.tif 000018
【図１７】
2010083515.tif 000019
【図１８】
2010083515.tif 000020
【図１９】
2010083515.tif 000021